(57)【要約】【課題】利用している移動通信システムの電波受信悪化によるサービス利用不可能に陥る事前に、他方の移動通信システムに迅速に切り替えることができる移動通信端末を提供する。【解決手段】前記ユーザによってキー入力操作が行われる操作手段と、通信方式を選択する制御手段と、通信方式の切替を行う切替手段と、受信電界レベルを検出し、検出結果を制御手段へ送る受信電界レベル検出手段と、検出された前記受信電界レベルを保持する記憶手段とを有し、制御手段は、現在選択している通信方式の受信電界レベルの状況に応じて、または、ユーザによる前記キー入力操作をトリガにして、他方の通信方式の受信電界レベルをサーチする。【選択図】        図１
2004297459.tif 000002
【特許請求の範囲】
【請求項１】
使用可能な通信方式と、ユーザの置かれている周囲の電波受信状況とに応じ、利用する通信方式の切替を行うデュアルモードを有する移動通信端末であって、
前記ユーザによってキー入力操作が行われる操作手段と、
通信方式を選択する制御手段と、
前記通信方式の切替を行う切替手段と、
受信電界レベルを検出し、検出結果を前記制御手段へ送る受信電界レベル検出手段と、
検出された前記受信電界レベルを保持する記憶手段とを有し、
前記制御手段は、現在選択している通信方式の受信電界レベルの状況に応じて、他方の通信方式の受信電界レベルをサーチすることを特徴とする移動通信端末。
【請求項２】
使用可能な通信方式と、ユーザの置かれている周囲の電波受信状況とに応じ、利用する通信方式の切替を行うデュアルモードを有する移動通信端末であって、
前記ユーザによってキー入力操作が行われる操作手段と、
通信方式を選択する制御手段と、
前記通信方式の切替を行う切替手段と、
受信電界レベルを検出し、検出結果を前記制御手段へ送る受信電界レベル検出手段と、
検出された前記受信電界レベルを保持する記憶手段とを有し、
前記制御手段は、前記ユーザによる前記キー入力操作をトリガに他方の通信方式の受信電界レベルをサーチすることを特徴とする移動通信端末。
【請求項３】
前記操作手段は、前記サーチを開始するために前記ユーザによって押下されるサーチキーをさらに有することを特徴とする請求項１または２記載の移動通信端末。
【請求項４】
前記移動通信端末が折りたたみ型である場合、開閉検出手段をさらに有し、
前記開閉検出手段によって前記移動通信端末が開いたことを検出した時、前記制御手段が前記受信電界レベル検出手段に対して、複数の前記受信電界レベルのサーチを開始させる制御を行うことを特徴とする請求項１または２記載の移動通信端末。
【請求項５】
前記受信電界レベルは所定のしきい値であることを特徴とする請求項１または２記載の移動通信端末。
【請求項６】
前記記憶手段は、前記制御手段が行うプログラムおよびデータを保持することを特徴とする請求項１または２記載の移動通信端末。
【請求項７】
前記制御手段によって選択される前記通信方式を予め設定する設定手段をさらに有することを特徴とする請求項１または２記載の移動通信端末。
【請求項８】
前記制御手段は、前記現在選択している通信方式の前記受信電界レベルが所定のしきい値以下になったことをトリガとして、前記サーチを開始する制御を行うことを特徴とする請求項１記載の移動通信端末。
【請求項９】
前記ユーザによる前記キー入力操作は、前記サーチキーの操作と、データ通信を行う操作と、音声通信を行う操作とのうち少なくとも１つの操作であることを特徴とする請求項２または３記載の移動通信端末。
【請求項１０】
使用可能な通信方式と、ユーザの置かれている周囲の電波受信状況とに応じ、利用する通信方式の切替を行うデュアルモードを有する移動通信端末で使用される通信制御方法であって、
前記ユーザによるキー操作を検出する操作検出ステップと、
前記移動通信端末が通信中であるかを判定する通信判定ステップと、
現在選択している受信電界レベルの検出をキャンセルする検出キャンセルステップと、
他方の通信方式に受信を切り替え、前記他方の通信方式の受信電界レベルのサーチを開始するサーチステップと、
前記サーチで検出された前記他方の通信方式の受信電界レベルを保持する記憶ステップとを有し、
前記ユーザによる前記キー操作をトリガに他方の通信方式の受信電界レベルをサーチすることを特徴とする通信制御方法。
【請求項１１】
使用可能な通信方式と、ユーザの置かれている周囲の電波受信状況とに応じ、利用する通信方式の切替を行うデュアルモードを有する移動通信端末で使用される通信制御方法であって、
現在選択されている通信方式の受信電界レベルのしきい値と、前記移動通信端末に保持されているしきい値とを比較する比較ステップと、
他方の通信方式の受信電界レベルのサーチを開始するサーチステップと、
前記ユーザの現在の在圏位置に応じた前記通信方式を選択する選択ステップとを有し、
前記現在選択している通信方式の受信電界レベルの状況に応じて、前記他方の通信方式の受信電界レベルをサーチすることを特徴とする通信制御方法。
【発明の詳細な説明】
【０００１】
【発明の属する技術分野】
本発明は、無線通信方式が異なる複数の通信システムが混在して提供されている移動無線通信サービスと、利用者の置かれている周囲の電波受信状況等に応じて、利用する移動無線通信方式の切替を行うデュアルモードを有する移動無線通信端末および通信制御方法に関する。
【０００２】
【従来の技術】
無線通信方式が異なる複数の通信システムが混在する環境で使用され、提供されている移動無線通信サービスと、利用者の置かれている周囲の電波受信状況等とに応じて、利用する移動無線通信方式を切り替えるデュアルモード移動無線通信端末において、他方の通信システムの受信電界レベルのサーチ制御があるが、従来のサーチ制御は、周期的な受信電界レベルのサーチ（検出）制御のみであった。
【０００３】
【発明が解決しようとする課題】
しかしながら、上記のような従来の移動通信端末のサーチ制御では、他方の移動通信システムに迅速（効率的）に切り替えることが不可能である。また、上記のような常時検出しにいくような周期的なサーチ制御ではバッテリ消費が激しく、回路規模も大きい。さらに、従来のサーチ制御である、周期的なタイミングのみのサーチは、サーチの周期では細かくサーチができず、状況によっては、選択している通信システムが通信不可能となるまで他方のサーチが行われない可能性がある。
【０００４】
また、１つの通信システムとのみ同時に通信ができない無線移動通信システム及び移動通信端末において、選択している通信システムと通信中の場合は、他方の通信システムの受信電界レベルのサーチが不可能であり、長時間古い他方の受信電界レベルのデータを保持することになり、状況によってはユーザの現時点の置かれている環境において、他方の通信システムが利用可能であるにもかかわらず利用できないと判定される問題もある。
【０００５】
また、従来の制御では図５の５０５に示すようなタイミングでしか選択システムが切り替えられず、複数の通信システムが混在している移動無線通信サービスにおいて、優先される無線通信方式による通信サービスが設定されている場合は、優先される通信システムでない方と通信を行っており、優先される通信システムが通信不可能から通信可能と受信電界レベルが変化した場合、状況によっては既に優先される通信システムが使用可能な状態にあるにもかかわらず、優先される通信システムに選択が切り替えられないという問題があった。
【０００６】
以上のことから、キー操作によるサーチ制御を行うことによって、ユーザが通信に使用する直前に他方の通信システムの受信電界レベルをサーチ可能で、他方の通信システムの通信が可能であるかが判定可能となる移動通信端末が望まれる。
【０００７】
本発明は、上記事情に鑑みてなされたものであり、無線通信方式が異なる複数の通信システムが混在して提供されている移動無線通信サービスと、利用者の置かれている周囲の電波受信状況等に応じて、利用する移動無線通信方式を切り替える方法を有するデュアルモード移動無線通信端末に関し、常時もしくは周期的に各無線通信システムに応じた無線通信方式にて無線受信電界レベル検出、無線制御チャネル情報検出の装置に、利用者の端末への操作や、サービスを受けている無線通信システムの無線受信電界レベルが決められたしきい値レベル以下になったことをトリガとして、他方の通信システムの無線受信電界レベル、無線制御チャネルのサーチを開始する制御手段を設けたことにより、ユーザが通信する事前に利用可能な通信システムをサーチでき、また、ユーザの移動等によって、利用している移動通信システムの電波受信悪化によるサービス利用不可能に陥る事前に、他方の無線受信電界レベル検出を行い、利用可能である際は他方の移動通信システムに迅速に切り替えることを可能とする移動通信端末および通信制御方法を提供することを目的とする。
【０００８】
また、本発明は、互いに無線通信方式が異なる通信システムが混在している移動無線通信サービスにおいて、優先される無線通信方式による通信サービスが設定されている場合は、極力優先設定されている通信システムが自動もしくは手動で設定選択される移動通信端末および通信制御方法を提供することを目的とする。
【０００９】
【課題を解決するための手段】
かかる目的を達成するために、請求項１記載の移動通信端末は、使用可能な通信方式と、ユーザの置かれている周囲の電波受信状況とに応じ、利用する通信方式の切替を行うデュアルモードを有する移動通信端末であって、ユーザによってキー入力操作が行われる操作ステップと、通信方式を選択する制御手段と、通信方式の切替を行う切替手段と、受信電界レベルを検出し、検出結果を制御手段へ送る受信電界レベル検出手段と、検出された受信電界レベルを保持する記憶手段とを有し、制御手段は、現在選択している通信方式の受信電界レベルの状況に応じて、他方の通信方式の受信電界レベルをサーチすることを特徴とする。
【００１０】
請求項２記載の移動通信端末は、使用可能な通信方式と、ユーザの置かれている周囲の電波受信状況とに応じ、利用する通信方式の切替を行うデュアルモードを有する移動通信端末であって、ユーザによってキー入力操作が行われる操作手段と、通信方式を選択する制御手段と、通信方式の切替を行う切替手段と、受信電界レベルを検出し、検出結果を制御手段へ送る受信電界レベル検出手段と、検出された受信電界レベルを保持する記憶手段とを有し、制御手段は、ユーザによるキー入力操作をトリガに他方の通信方式の受信電界レベルをサーチすることを特徴とする。
【００１１】
請求項３記載の移動通信端末は、請求項１または２記載の移動通信端末において、操作手段は、前記サーチを開始するために前記ユーザによって押下されるサーチキーをさらに有することを特徴とする。
【００１２】
請求項４記載の移動通信端末は、請求項１または２記載の移動通信端末において、移動通信端末が折りたたみ型である場合、開閉検出手段をさらに有し、開閉検出手段によって移動通信端末が開いたことを検出した時、制御手段が受信電界レベル検出手段に対して、複数の受信電界レベルのサーチを開始させる制御を行うことを特徴とする。
【００１３】
請求項５記載の移動通信端末は、請求項１または２記載の移動通信端末において、受信電界レベルは所定のしきい値であることを特徴とする。
【００１４】
請求項６記載の移動通信端末は、請求項１または２記載の移動通信端末において、記憶手段は、制御手段が行うプログラムおよびデータを保持することを特徴とする。
【００１５】
請求項７記載の移動通信端末は、請求項１または２記載の移動通信端末において、制御手段によって選択される通信方式を予め設定する設定手段をさらに有することを特徴とする。
【００１６】
請求項８記載の移動通信端末は、請求項１または２記載の移動通信端末において、制御手段は、現在選択している通信方式の受信電界レベルが所定のしきい値以下になったことをトリガとして、サーチを開始する制御を行うことを特徴とする。
【００１７】
請求項９記載の移動通信端末は、請求項２または３記載の移動通信端末において、ユーザによるキー入力操作は、サーチキーの操作と、データ通信を行う操作と、音声通信を行う操作とのうち少なくとも１つの操作であることを特徴とする。
【００１８】
請求項１０記載の通信制御方法は、使用可能な通信方式と、ユーザの置かれている周囲の電波受信状況とに応じ、利用する通信方式の切替を行うデュアルモードを有する移動通信端末で使用される通信制御方法であって、ユーザによるキー操作を検出する操作検出手段と、移動通信端末が通信中であるかを判定する通信判定ステップと、現在選択している受信電界レベルの検出をキャンセルする検出キャンセルステップと、他方の通信方式に受信を切り替え、他方の通信方式の受信電界レベルのサーチを開始するサーチステップと、サーチで検出された他方の通信方式の受信電界レベルを保持する記憶ステップとを有し、ユーザによる前記キー操作をトリガに他方の通信方式の受信電界レベルをサーチすることを特徴とする。
【００１９】
請求項１１記載の通信制御方法は、使用可能な通信方式と、ユーザの置かれている周囲の電波受信状況とに応じ、利用する通信方式の切替を行うデュアルモードを有する移動通信端末で使用される通信制御方法であって、現在選択されている通信方式の受信電界レベルのしきい値と、移動通信端末に保持されているしきい値とを比較する比較ステップと、他方の通信方式の受信電界レベルのサーチを開始するサーチステップと、ユーザの現在の在圏位置に応じた通信方式を選択する選択ステップとを有し、現在選択している通信方式の受信電界レベルの状況に応じて、他方の通信方式の受信電界レベルをサーチすることを特徴とする。
【００２０】
【発明の実施の形態】
以下、本発明の実施の形態について添付図面を参照して詳細に説明する。なお、ここで説明する実施例においては、無線通信方式の異なる２つの通信システムが提供されている移動無線通信サービスとする。
【００２１】
図１は本発明における利用者の端末への操作や、サービスを受けている移動無線通信システムの無線受信電界レベルが決められたしきい値レベル以下になったことをトリガとして、他方の通信システムの無線受信電界レベル、無線制御チャネルのサーチを開始する制御手段を設けたデュアルモード移動通信端末の概略を示すブロック図である。
【００２２】
基地局からの無線信号を受信し、基地局に対して送信する送受信共用アンテナ１０１と、各移動通信システムの無線通信方式に対応した無線信号の送受信制御を行っている無線部Ａ１０３及び無線部Ｂ１０４と、デジタル信号変復調処理動作をする信号処理部１０６で通信制御されている。
【００２３】
また、無線切替部１０２では、送受信を行う無線通信方式の切替制御をする。どの通信システムを利用するか、つまり、どの無線通信方式にて送受信を行うかの選択制御は制御部１０７にて行う。受信電界レベル検出部１０５では、各移動無線通信システムの基地局から送信される無線受信電界レベルを検出し、結果を制御部１０７へ報告する。スピーカ１１３では、制御部１０７で音声通信号を複合化処理された電気信号を音声として出力する。マイク１０９から入力された音声は、制御部１０７で符号化される。
【００２４】
操作部１１０はキー入力部で、電源をオンオフスイッチ、音声通信時のダイヤル番号を入力のテンキー、音声着信通話開始・終話キー、データ通信時の入力キー（いずれも図示せず）等の移動通信無線端末を操作するためのキーが設けられている。これらの操作キーの中には、本発明で設けられたサーチキーがある（図示せず）。このサーチキーを押下することにより、制御部１０７は、受信電界レベル検出部１０５に対して各無線通信システムの無線受信電界レベルをサーチ開始させる制御を行う。
【００２５】
開閉検出部１１１は、折りたたみ型である移動通信端末のユーザの開閉操作を検出し、検出結果に応じて制御部１０７で、開時には表示部の電源オン、閉時にはオフの制御がされる。また、本発明で設けられた制御で、開閉検出部１１１は開時検出時に制御部１０７は、受信電界レベル検出部１０５に対して各無線通信システムの無線受信電界レベルをサーチ開始させる制御を行う。
【００２６】
表示部１１２は、サービス圏外・圏内表示、受信電界レベル、日付、時刻、操作上のメッセージ表示をする。記憶部１０８では、制御部１０７で実行されるプログラムやデータを記憶する。また、前記の受信電界レベル検出部１０５で検出された受信電界レベルＥｓｔ  データを保持という構成になっている。
【００２７】
次に、図２は、互いに無線通信方式が異なる通信システムが混在している移動無線通信サービスのシステム基本構成を示した図面である。なお、この基本構成は広く事業者に知られている。
【００２８】
２０１はＡ通信システムのサービスエリアである。２０２は、Ａ通信システムとは異なる無線通信方式のＢ通信システムサービスエリアである。ＢＴＳ−Ａ２０３はＡ通信システムの基地局で、サービスエリア内に存在しているＡ通信システムに対応した複数の移動通信端末と無線通信を行う。また、ＢＴＳ−Ｂ２０４は、Ｂ通信システムの基地局で、サービスエリア内に存在しているＢ通信システムに対応した複数の移動無線端末と無線通信を行う。なお、前記の図１の説明にある複数の通信システムとの通信が可能なデュアルモード移動通信端末であれば、各サービスエリアに対応した移動通信システムに切り替えて通信が可能である。
【００２９】
無線回線制御局２０５は、各通信システムの複数の基地局と接続されており、Ａ通信システムの回線制御と、Ｂ通信回線制御及び、Ａ通信システムとＢ通信システムの共通制御を行っており、交換局２０６を介して公衆回線網に接続されている。
【００３０】
ポイントＡ２０７は、Ａ通信システムが利用可能な場所存在するユーザを示し、ポイントＢは、Ａ及びＢ両方の通信システムを利用可能な場所存在するユーザを示し、ポイントＣは、Ｂ通信システムが利用可能な場所に存在しているユーザを示している。以上が、ＡＢ混在通信システムの環境構成である。
【００３１】
以下、本発明の実施形態の動作について説明する。動作については、図３、図４のフローチャートを参照しながら説明する。
【００３２】
図２において、ポイントＡの場所に存在するユーザの無線移動通信端末の他方であるＢ通信システムの受信電界レベルサーチ制御方法は、前記の図１にて説明した制御部１０７で制御している。
【００３３】
図３のステップ３０１にて制御部１０７内のサーチタイマが満了判定を行っており、満了したと判定され、次のステップ３０３で通信中であるかの判定にて通信中でないと判定されると、制御部１０７は、ステップ３１０で無線切替部１０２に他方の通信システムの無線信号受信に切り替え、受信電界レベル検出部１０５にて他方通信システムの受信電界レベルサーチを開始させる制御を行う。なお、タイマ満了の周期時間は、プログラムとして記憶部１０８に保持されている。
【００３４】
サーチで得られた受信電界レベルは、制御部１０７へ報告され、制御部１０７は記憶部１０８に保持する。ステップ３１３では、ステップ３０１からのスタートにリターンされる。また、ステップ３０２でサーチタイマが満了していないと判定されると、ステップ３０９で、ユーザによる端末操作、つまり、折りたたみ型移動端末を開ける操作や、データ通信や音声通信を行うための操作や、強制サーチボタンの押下操作の検出判定が行われ、開閉検出部１１１または制御部１０７によって操作があったと検出されると、ステップ３１０で前記の制御が行われる。ステップ３０９にて前記のキー操作が無いと判定されるとステップ３１１で、ステップ３０１からのスタートにリターンされる。
【００３５】
また、ステップ３０３で通信中と判断されると、サーチタイマが満了していても無線切替部１０２で切り替えることが出来ないため、受信電界レベルサーチが行えない。そのため、ステップ３０４で受信電界レベルサーチがキャンセルされ、ステップ３０５にて通信終了されているか検出処理を行う。通信が終了していると判断されると制御部１０７は、ステップ３０６で無線切替部１０２に他方の通信システムの無線信号受信に切り替え、受信電界レベル検出部１０５にて他方通信システムの受信電界レベルサーチを開始させる制御を行う。
【００３６】
サーチで得られた受信電界レベルは、ステップ３０７で制御部１０７へ報告され、制御部１０７は記憶部１０８に保持し、ステップ３０８でスタートにリターンされる。ステップ３０５にて通信が終了されていないと判定されると、ステップ３１４でスタートにリターンされる。
【００３７】
次に、図２においてポイントＢの場所に存在するユーザの無線移動通信端末の他方であるＢ通信システムの受信電界レベルサーチ制御方法は、図４のステップ４０１より制御が開始され、ステップ４０２で現在、選択されている移動通信システムの受信電界レベルＥｓｔ  が記憶部に保持されているしきい値レベルＳｌｖ１以下（Ｅｓｔ＜Ｅｓｔ１）であるかの判定を行う。
【００３８】
しきい値レベルＥｓｔ１以下（Ｅｓｔ＜Ｅｓｔ１）であると判定されると、ステップ４０３にて他方の無線移動通信システムの電界レベルのサーチを開始し、サーチで得られた受信電界レベルは、ステップ４０５で制御部１０７へ報告される。
【００３９】
ユーザが移動し通信を行っているサービスエリア境界境にて、ステップ４０６にて選択されている通信システムが圏外であると判定されると、次ステップのステップ４０８にて記憶部１０８に保持されている、ステップ４０３でサーチした他方通信システムの受信電界レベルＥｓｔ  が、その通信システムの通信可能しきい値電界レベルＥｓｔ２以上、つまりサービス可能な圏内と判定されれば、ステップ４０９で他方通信システムによる無線通信に切り替える。
【００４０】
ステップ４０２、ステップ４０６でＮＯと判定されると、各々の次ステップでステップ４０１のスタートへリターンされる。また、ステップ４０８で他方通信システムが圏外であると判定されると、どちらの通信システムも圏外でありステップ４１０でどちらかのシステムが圏内となるまで、切り替え動作及びサーチ動作を行う。
【００４１】
図５は、前記実施例の動作説明の効果を示した図面である。５０３のしきい値１Ｅｓｔ１は、前記の選択されている通信システムの受信電界レベルＥｓｔ  がこのしきい値以下であると判定されると、他方の無線移動通信システムの受信電界レベルのサーチを開始する。５０４のしきい値２は、各通信システムの通信可能な下限の受信電界レベルで、このしきい値以下であると通信不可能となる。
【００４２】
５０８は、周期的な他方の通信システムの受信電界レベルのサーチタイミングを示したものである。５０６は、前記５０８の周期的なサーチタイミングに本発明によるサーチタイミング、つまり、選択されている通信システムの受信電界レベルＥｓｔ＜Ｅｓｔ１の条件でサーチを開始する制御を合わせたものである。さらに、本発明のユーザのキー操作をトリガに行われるサーチタイミングを示したタイミングが５０７である。５０１は通信システムＡの受信電界レベルの変化を示したものである。また、５０２は通信システムＢの受信電界レベルの変化を示したものである。
【００４３】
【発明の効果】
本発明の効果について図５を用いて説明する。現時点でユーザは通信システムＡを選択して通信を行っているとする。時間の変化と共に通信システムＡ及びＢの受信電界レベルは図５のように変化がある。本発明の制御を設けたサーチであれば、図５に示すように５０７及び５０８のタイミングにて他方の受信電界レベルのサーチが可能であるため、図５の▲２▼に示すタイミングでの他方のサーチが可能である。これは、現在利用している受信電界レベルがあと少し悪化すると通信ができなくなる可能性があり、事前に他方の通信システムの電界レベルをサーチし通信可能な電界レベルであるかを確認できる効果を示している。従来の技術では周期的なタイミングのみのサーチであるため、サーチの周期では細かくサーチができず状況によっては、選択している通信システムが通信不可能となるまで他方のサーチが行われない可能性がある。
【００４４】
更に、本発明によるキー操作によるサーチの制御であれば、ユーザが通信に使用する直前に他方の通信システムの受信電界レベルをサーチ可能で、他方の通信システムの通信が可能であるかを判定できる効果がある。
【００４５】
また、１つの通信システムとのみ同時に通信ができない無線移動通信システム及び移動通信端末において、選択している通信システムと通信中の場合は他方の通信システムの受信電界レベルのサーチが不可能であり、長時間古い他方の受信電界レベルのデータを保持することになり、状況によってはユーザの現時点の置かれている環境に置いて他方の通信システムが利用可能であるにもかかわらず利用できないと判定される問題もある。しかし、本発明を設けた無線移動通信端末であれば、ユーザの通信終了操作をトリガに他方の通信システムの受信電界レベルをサーチ可能であり、前記の問題が回避できる効果がある。
【００４６】
また、本発明の制御によるサーチタイミングにより、従来では５０５に示すようなタイミングでしか選択システムが切り替えられなかったが、本発明での５０６に示すタイミングにてサーチできると図５の▲２▼のタイミングで他方の通信システムの選択を切り替えることができる。５０９のように通信システムを切り替えることが可能である。
【００４７】
更に、５０７に示すキー操作でのタイミングにてサーチ可能であれば、図５の▲１▼でのタイミングで他方の通信システムへ選択を切り替えることも可能であり、５１０に示すタイミングで通信システムの選択が可能である。これは、複数の通信システムが混在している移動無線通信サービスにおいて、優先される無線通信方式による通信サービスが設定されている場合の（図５では通信システムＢ）、極力優先設定されている通信システムが自動もしくは手動で設定選択が円滑に行えるという効果を示している。ここで、上記優先設定は、ユーザの操作による設定ができ、または、移動無線通信サービスを提供している事業者が、例えば、予め端末内の記憶手段に優先する通信方式を設定したり、網制御側から無線にて設定したりすることも可能とする。
【００４８】
以上説明したように、本発明は以下に記載するような効果を奏する。他方通信システムの受信電界レベルサーチ制御に、選択している通信システムの受信電界レベルを記憶部１０８で記憶しているしきい値Ｅｓｔ１と比較し、以下と判定されたときに他方の電界レベルのサーチを開始する制御を設けたことと、ユーザによる端末操作、つまり、折りたたみ型移動端末を開ける操作や、データ通信や音声通信を行うための操作や、強制サーチボタンの押下操作の検出判定が行われ、操作があったと検出する制御を設けたこととにより、従来技術では解決できなかった問題を解決できる。つまり、周期的な受信電界サーチだけではなくタイムリーなサーチ＆報告が可能であるため、検出周期を短くする必要が無く、バッテリ消費を抑えられる。
【００４９】
また、互いに無線通信方式が異なる通信システムが混在している移動無線通信サービスにおいて優先される無線通信方式による通信サービスが設定されている場合の、極力優先設定されている通信システムが自動もしくは手動で設定選択が円滑に行える。
【００５０】
また、ユーザの操作を他方の通信システムの受信電界レベル検出のトリガとしているため、つまり、ユーザが通信を行いたいタイミングで他方の通信システムがサービス圏内であるか判定できるため、手動もしくは自動で他方の移動通信システムに迅速（効率的）に切り替えることが可能である効果がある。
【図面の簡単な説明】
【図１】本発明の実施形態である移動通信端末を示すブロック図である。
【図２】移動無線通信サービスのシステム基本構成例を示す概略図である。
【図３】本発明の実施形態にかかる動作を示すフローチャートである。
【図４】本発明の実施形態にかかる動作を示すフローチャートである。
【図５】本発明の実施形態にかかる動作の効果を示すグラフおよびタイミングチャートである。
【符号の説明】
１０１  アンテナ
１０２  無線切替部
１０３  無線部Ａ
１０４  無線部Ｂ
１０５  受信電界レベル検出部
１０６  信号処理部
１０７  制御部
１０８  記憶部
１０９  マイク
１１０  操作部
１１１  開閉検出部
１１２  表示部
１１３  スピーカ
２０１  Ａ通信システムサービスエリア
２０２  Ｂ通信システムサービスエリア
２０３  ＢＴＳ−Ａ
２０４  ＢＴＳ−Ｂ
２０５  無線回線制御局
２０６  交換局
２０７  ポイントＡ
２０８  ポイントＢ
２０９  ポイントＣ
【図１】
2004297459.tif 000003
【図２】
2004297459.tif 000004
【図３】
2004297459.tif 000005
【図４】
2004297459.tif 000006
【図５】
2004297459.tif 000007